(57)【要約】【課題】使用中のコンロから、隣接する未使用のコンロに対する汚れを防止するために、簡素で安価であり、外観を損ねず、設置、取り外しも容易であり、掃除の苦労と実際の使用にあたり、扱いやすさの均衡がとれたコンロカバーを提供する。【解決手段】五徳やバーナーキャップを覆う大きさ、温度センサーに触れない高さであり、コンロの上からかぶせるだけの簡素な形状のカバー１０とする。【選択図】図２
2014224678.tif 000002
【特許請求の範囲】
【請求項１】
ガスコンロの各コンロにおいて、五徳やバーナーキャップ、温度センサーを覆う大きさで、上からかぶせる形状を特徴とした、コンロカバー。
【請求項２】
一部分を切り取った半月型とし、幅の狭いガスコンロ、またはガスコンロの天板の縁(フレーム)に凹凸があっても設置ができる構造を特徴とした請求項１記載のコンロカバー。
【請求項３】
切り口を垂直ではなく、内向きに少し角度を付け、縦置きが可能である構造を特徴とした請求項２記載のコンロカバー。
【発明の詳細な説明】
【技術分野】
【０００１】
本発明は、使用中のコンロから、隣接する未使用のコンロに対する汚れを防止するコンロカバーに関する。
【背景技術】
【０００２】
従来、料理による油はねなどの汚れが、その料理をしている箇所とは別の未使用のコンロ(加熱口)にまで飛び散り、天板やバーナー付近に付着していた。天板の清掃は容易であるが、五徳、バーナーキャップ、温度センサーは形状が複雑であり、汚れが焦げ付き安い部分であるため、掃除が面倒であった。
【先行技術文献】
【特許文献】
【０００３】
【特許文献１】実開平５−３２９１０号公報
【特許文献２】特開平７−７１７７３号公報
【特許文献３】特開平９−１３３３６８号公報
【特許文献４】特開平９−２９２１２９号公報
【特許文献５】特開２０００−２５７８７９号公報
【特許文献６】特開平１１−６３５１８号公報
【特許文献７】特開平７−２１７８９３号公報
【特許文献８】特開平１１−１０３９４７号公報
【特許文献９】特開２０００−１７９８７０号公報
【特許文献１０】特開２００３−１６１４５０号公報
【特許文献１１】特開２００６−３１３０４５号公報
【特許文献１２】特開２００５−２３３５９２号公報
【発明の概要】
【発明が解決しようとする課題】
【０００４】
しかしながら、上記特許文献１、特許文献２、特許文献３、特許文献４、及び特許文献５は、主にガスコンロの天板(トッププレート)に対する汚れの防止を目的としている。天板は五徳を外すと平坦であり、素材も進化しているため、掃除は非常に容易である。
【０００５】
なお、このようなカバーの素材がアルミニウム箔製であった場合、薄くて破れやすく、付着した汚れの除去が困難である。そのため、カバーが汚れたときには、カバー自体の交換が必要で、使い捨てになり不経済である。
【０００６】
また、受け皿まで覆うものもあるが、バーナー、バーナーキャップ、温度センサーなどは覆うことができていないため、未使用のコンロにおいて、他のコンロからの油はねなどの汚れを防ぐことはできない。
【０００７】
そして、このようなカバーを装着すると、ガスコンロの外観が著しく低下する。
【０００８】
特許文献６、特許文献７、特許文献８、特許文献９、及び特許文献１０は、ガスコンロ全体を覆い、汚れの防止ではなく、汚れを隠すのを目的としている。そしてカバーをしているときには料理ができない。
【０００９】
特許文献６にあっては、カバーをしたまま一部のマット部を折り曲げて、その一部のコンロを使用できるとしているが、やはりカバーがガスコンロ全体を覆うもので、カバー自体が大きく、コンロ全部を使用するときには、取り外しが面倒であり、置き場所の確保が不便である。素材はアルミニウム箔で、使い捨てのため不経済である。また外観は著しく低下する。
【００１０】
特許文献７にあっては、前方のカバー(文献中での名称は第１のコンロカバー)を取り外せば、前方のコンロを使用できるとしている。しかしカバー自体が大きいため、カバーの移動が面倒である。また特許文献７でも想定しているとおり、前方に２つのコンロがあるため、やはり一方を使用していれば、もう一方の未使用のコンロが汚れる。
【００１１】
特許文献１１にあっては、既存の天板の上に、より優れた新規の天板を載せるものだが、汚れに関して解決できるのは、天板が清掃しやすくなるだけであり、五徳やバーナーキャップへの汚れを解決できない。
【００１２】
特許文献１２にあっては、使用中の五徳と受け皿(文献中の用語ではコンロの台座部分)の汚れを防止することを目的としている。使用していないコンロにこのカバーを装着したとしても、五徳の一部分と、バーナー、バーナーキャップ、温度センサーなどは覆うことができないため、他のコンロからの油汚れ等を防ぐことはできない。
【００１３】
上記のとおり従来では、天板のカバーや使用中のコンロにおける吹きこぼれの汚れを想定したカバーは存在したが、未使用のコンロ全体に対する汚れを防止するものではなかった。また外観を大きく損ねるものであったり、ガスコンロ全体を覆う大きなカバーであったりした。
【００１４】
天板は五徳を外すと平坦であり、素材も進化しているため、掃除は非常に容易である。そのため、天板に対するカバーの必要性はそれほどない。
【００１５】
また、近年は受け皿のないガスコンロが主流となっており、また吹きこぼれ防止の機能が実装されているものもあるため、受け皿に対するカバーの必要性も薄まっている。
【００１６】
このような状況であっても、料理中のコンロから、隣接する未使用のコンロに対する油はねなどの汚れは存在しており、五徳、バーナーキャップなどに付着する汚れを防止する必要性は変わらずある。本発明では以上の点をふまえて、問題点を解決する。
【課題を解決するための手段】
【００１７】
この課題を解決するために本発明は、バーナーと五徳を覆う大きさで、コンロの上からかぶせるだけの簡素な形状のカバーとする。
【発明の効果】
【００１８】
以上のように本発明によれば、料理しているコンロから飛び散る油はねなどの汚れが、隣接した未使用のコンロの五徳、バーナーキャップ、温度センサーに付着するのを防止できる。
【００１９】
外観は大きく変化することはなく、カバーの大きさはガスコンロ全体ではなく、各コンロの五徳の大きさになるので小さく、取り外しも容易で扱いやすい。形状も簡素なため安価に実現できる。また洗いやすく、繰り返し使用可能である。大きさは五徳と同程度の大きさになるため、置き場所にも苦労しない。
【図面の簡単な説明】
【００２０】
【図１】本発明を設置する前の、未使用のコンロが汚れる様子を示したガスコンロの斜視図。
【図２】本発明を未使用のコンロに対して設置したときの斜視図。
【図３】本発明の基本形状を示した斜視図。
【図４】本発明を半月型の形状にしたときの平面図。
【図５】本発明を半月型の形状にしたときの側面図。
【図６】本発明を半月型の形状にしたときの斜視図。
【図７】半月型の形状をした本発明を設置したときの斜視図。
【図８】半月型の形状をした本発明を縦置きしたときの斜視図。
【発明を実施するための形態】
【００２１】
以下、本発明の実施の形態について説明する。まず図１は本発明を設置する前の、未使用のコンロ１が汚れる様子を示した、ガスコンロ全体の斜視図である。
【００２２】
フライパン３などで料理をしている使用中のコンロ２から、隣接した未使用のコンロ１に油はね４が飛び散って汚れる。このとき汚れるのは天板５、五徳６、バーナーキャップ７などほとんどの箇所に亘るが、天板５は平坦であり、五徳６を外せば掃除は容易である。そのため本発明では天板５以外の箇所の汚れ防止を対象としている。
【００２３】
次に図２について説明する。中央と右のコンロにカバー１０を設置した図である。これで未使用のコンロ１の五徳６やバーナーキャップ７、温度センサー９に対する汚れが防止できる。高さは温度センサー９に触れない高さで、幅は五徳６の大きさとなる。素材はブリキ缶のふたのようなものであれば、洗って繰り返し使用できる。
【００２４】
図１、図２では五徳６は丸い形であるが、四角い五徳もある。その場合はカバー１０も四角い形になる。
【００２５】
なお本発明はこのような形状のため、受け皿８の有無に関係なく設置できる。
【００２６】
次に図３について説明する。本発明の基本形状を示している。五徳が円形である場合は、本図のようにカバーも円形となる。五徳が四角い場合は、カバーも四角になる。
【００２７】
次に図４、図５、図６について説明する。本発明を半月型にした形状を示している。ビルトインガスコンロの場合、一般的に天板が６０センチメートルのタイプと７５センチメートルのタイプのふたつがある。６０センチメートルのタイプの場合、五徳とガスコンロのフレームとの間に距離がない場合がある。このようなガスコンロに半月型カバー１１は有効な形状である。
【００２８】
また縦置きを可能とするため、切り口を垂直ではなく、内向きに角度を付けている。
【００２９】
半月型カバー１１の具体的な設置例を図７に示す。この場合、ガスコンロのフレーム１２が山形となっており、五徳６と十分な距離がなく、円形のカバー１０が設置できない。このようなガスコンロについては半月型カバー１１の形状が適している。なお半月型であっても汚れは十分防止できるとともに、持ち運びも楽である。
【００３０】
次に図８について説明する。半月型カバー１１を縦置きにした状態を示している。切り口に角度を付けているため、縦置きが可能である。半月型カバー１１を取り外して、一時的に避けて置くときに便利である。
【００３１】
なお、切り口の角度は半月型カバー１１の素材や大きさに依存するため、決まった角度はない。
【符号の説明】
【００３２】
１  未使用のコンロ
２  使用中のコンロ
３  フライパン
４  油はね
５  天板
６  五徳
７  バーナーキャップ
８  受け皿
９  温度センサー
１０  カバー
１１  半月型カバー
１２  フレーム
【図１】
2014224678.tif 000003
【図２】
2014224678.tif 000004
【図３】
2014224678.tif 000005
【図４】
2014224678.tif 000006
【図５】
2014224678.tif 000007
【図６】
2014224678.tif 000008
【図７】
2014224678.tif 000009
【図８】
2014224678.tif 000010